(57)【要約】【課題】被撮影者の待ち時間を少なく、所定時間内での被撮影者の処理能力が高く、確実にジョブが実行される自動写真撮影方法および該装置を提供する。【解決手段】被撮影者を撮影した顔画像情報を通信回線を介してサーバーに送信する機能を有する自動写真撮影方法において、被撮影者の撮影の受付を行い、受付された被撮影者の少なくとも撮影条件の情報を入力し、情報入力に基づき被撮影者の顔を撮影し、撮影による顔画像情報に基づきプリントし、少なくとも顔画像情報をサーバーに送信し、被撮影者に係わる所定工程以降のジョブを実行中に新しい被撮影者の受付があった時は、実行ジョブを一時中断して、新しい被撮影者の受付によるジョブを割り込ませ優先して実行させることを特徴とする自動写真撮影方法および該装置である。【選択図】　　　　図５
2004077588.tif 000002
【特許請求の範囲】
【請求項１】
被撮影者を撮影した顔画像情報を通信回線を介してサーバーに送信する機能を有する自動写真撮影方法において、
前記被撮影者の撮影の受付を行い、
受付された被撮影者の少なくとも撮影条件の情報を入力し、
情報入力に基づき被撮影者の顔を撮影し、
撮影による顔画像情報に基づきプリントし、
少なくとも前記顔画像情報をサーバーに送信し、
被撮影者に係わる所定工程以降のジョブを実行中に新しい被撮影者の受付があった時は、実行ジョブを一時中断して、新しい被撮影者の受付によるジョブを割り込ませ優先して実行させることを特徴とする自動写真撮影方法。
【請求項２】
被撮影者を撮影した顔画像情報を通信回線を介してサーバーに送信する機能を有する自動写真撮影方法において、
前記被撮影者の撮影の受付を行い、
受付された被撮影者の少なくとも撮影条件の情報を入力し、
情報入力に基づき被撮影者の顔を撮影し、
撮影による顔画像情報に基づきプリントし、
少なくとも前記顔画像情報をサーバーに送信し、
受付工程、撮影工程、プリント工程、通信工程の順位にジョブを直列的に実行させ、且つ被撮影者に係わる所定工程以降のジョブを実行中に新しい被撮影者の受付があった時は、実行ジョブを一時中断して、新しい被撮影者の受付によるジョブを割り込ませ優先して実行させることを特徴とする自動写真撮影方法。
【請求項３】
被撮影者を撮影した顔画像情報を通信回線を介してサーバーに送信する機能を有する自動写真撮影装置において、
前記被撮影者の撮影の受付を行う受付手段と、
受付された被撮影者の少なくとも撮影条件の情報を入力する情報入力手段と、
前記情報入力手段に基づき前記被撮影者の顔を撮影する撮影手段と、
前記撮影手段による顔画像情報に基づきプリントするプリント手段と、
少なくとも前記顔画像情報を前記自動写真撮影装置のサーバーに送信する通信手段と、
被撮影者に係わる所定工程以降のジョブを実行中に新しい被撮影者の受付があった時は、実行ジョブを一時中断して、新しい被撮影者の受付によるジョブを割り込ませ優先して実行させる制御手段と、
を備えたことを特徴とする自動写真撮影装置。
【請求項４】
被撮影者を撮影した顔画像情報を通信回線を介してサーバーに送信する機能を有する自動写真撮影装置において、
前記被撮影者の撮影の受付を行う受付手段と、
受付された被撮影者の少なくとも撮影条件の情報を入力する情報入力手段と、
前記情報入力手段に基づき前記被撮影者の顔を撮影する撮影手段と、
前記撮影手段による顔画像情報に基づきプリントするプリント手段と、
少なくとも前記顔画像情報を前記自動写真撮影装置のサーバーに送信する通信手段と、
受付工程、撮影工程、プリント工程、通信工程の順位にジョブを直列的に実行させ、且つ被撮影者に係わる所定工程以降のジョブを実行中に新しい被撮影者の受付があった時は、実行ジョブを一時中断して、新しい被撮影者の受付によるジョブを割り込ませ優先して実行させる制御手段と、
を備えたことを特徴とする自動写真撮影装置。
【請求項５】
被撮影者のプリント工程終了以降、直ちに新しい被撮影者の受付が受理可能な状態になることを特徴とする請求項４に記載の自動写真撮影装置。
【請求項６】
被撮影者を撮影した顔画像情報は暗号処理されて一時記憶されることを特徴とする請求項３または４に記載の自動写真撮影装置。
【請求項７】
前記被撮影者の操作により自動写真撮影装置のジョブが実行可能であることを特徴とする請求項３〜６のいずれか１項に記載の自動写真撮影装置。
【請求項８】
前記制御手段は、新しい被撮影者に係わるジョブを割り込ませるかどうかを決定し、割り込み決定の場合に実行中の実行ジョブを一時中断処理する中断処理部、中断内容を一時記憶する中断記憶部、割り込みジョブを優先して実行させるように割り込ませる割り込み処理部、および中断中のジョブを再開して実行させる中断再開処理部を有することを特徴とする請求項３〜７のいずれか１項に記載の自動写真撮影装置。
【請求項９】
前記中断処理部は、プリント工程終了後で、被撮影者による受付入力操作情報または料金支払い完了情報により割り込みを実行することを特徴とする請求項８に記載の自動写真撮影装置。
【請求項１０】
前記中断記憶部は、中断内容を一時記憶することを特徴とする請求項８に記載の自動写真撮影装置。
【請求項１１】
前記中断再開処理部は、通信工程のジョブ中にジョブを中断した場合は通信工程の最初からジョブをやり直し再開させることを特徴とする請求項８に記載の自動写真撮影装置。
【請求項１２】
前記通信手段は、サーバーへの通信データを予め暗号処理しておく機能を有することを特徴とする請求項３または４に記載の自動写真撮影装置。
【請求項１３】
前記通信手段は、少なくとも顔画像情報、ＩＤ番号、暗証番号をサーバーに送信する機能を有することを特徴とする請求項３または４に記載の自動写真撮影装置。
【請求項１４】
前記通信手段は、無線電話サービスであるＰＨＳ通信方式を利用してサーバーに送信する機能を有することを特徴とする請求項３または４に記載の自動写真撮影装置。
【発明の詳細な説明】
【０００１】
【発明の属する技術分野】
本発明は自動写真撮影方法および自動写真撮影装置に関し、さらに詳しくは、被撮影者の各種証明写真等を撮影し、撮影した顔画像情報を通信回線を介してサーバーに送信する機能を有する自動写真撮影方法および自動写真撮影装置の改良に関する。
【０００２】
【従来の技術】
従来より、被撮影者の各種証明写真等を撮影し、撮影した顔画像情報を通信回線を介してサーバーに送信する機能を有する自動写真撮影方法および装置が知られている。
【０００３】
この方法および装置においては、（従来の技術１）として、被撮影者の受付を行い、受付された被撮影者の撮影条件を入力し、情報入力に基づき被撮影者の顔を撮影し、撮影による顔画像情報に基づきプリントし、さらに、被撮影者の顔画像情報を自動写真撮影装置のサーバーに送信している。この制御方法として受付工程、撮影工程、プリント工程および通信工程のジョブを途中で中断させることなく、直列的な制御を行っている。また、被撮影者のジョブ完了後に新しい被撮影者の受け付けを行うことが出来るようになっている。
【０００４】
また、（従来の技術２）として、従来の技術１の記載と同様に、受付された被撮影者の撮影条件を入力し、被撮影者の顔を撮影し、プリントし、顔画像情報を外部のサーバーに送信している。この制御方法として受付工程、撮影工程、プリント工程、通信工程を中断させることなく、並列的な制御を行っている。例えば、通信工程と新たな被撮影者の受付工程を同時に行っている。また、被撮影者のジョブが完了しなくても新しい被撮影者の受け付けを行うことができようになっている。
【０００５】
【発明が解決しようとする課題】
しかしながら、上記の（従来技術１）における課題として、被撮影者に関する受付工程、撮影工程、プリント工程、通信工程等のジョブを中断させることなく、これらのジョブが完了してから、新しい被撮影者のジョブの受け付けを行うので、被撮影者の待ち時間が長くなりやすく、また自動写真撮影装置の単位時間当たりの被撮影者を処理する能力が低いという問題がある。
【０００６】
また、上記の（従来技術２）における課題として、被撮影者に関する受付工程、撮影工程、プリント工程、通信工程等のジョブが、例えば、撮影・プリント工程と通信工程とが並行的に制御されるので、制御が複雑となり、電気的ノイズ等が入り制御が不安定になりやすいという問題がある。
【０００７】
本発明は上記の課題に鑑みなされたもので、本発明の目的は、被撮影者の待ち時間を少なく、自動写真撮影装置の単位時間当たりの被撮影者を処理する能力が高く、信頼性が高く確実にジョブが実行できる自動写真撮影方法および自動写真撮影装置を提供することにある。
【０００８】
【課題を解決するための手段】
本発明の目的は下記のいずれかにより達成できる。
【０００９】
（１）被撮影者を撮影した顔画像情報を通信回線を介してサーバーに送信する機能を有する自動写真撮影方法において、前記被撮影者の撮影の受付を行い、
受付された被撮影者の少なくとも撮影条件の情報を入力し、情報入力に基づき被撮影者の顔を撮影し、撮影による顔画像情報に基づきプリントし、少なくとも前記顔画像情報をサーバーに送信し、被撮影者に係わる所定工程以降のジョブを実行中に新しい被撮影者の受付があった時は、実行ジョブを一時中断して、新しい被撮影者の受付によるジョブを割り込ませ優先して実行させることを特徴とする自動写真撮影方法。
【００１０】
（２）被撮影者を撮影した顔画像情報を通信回線を介してサーバーに送信する機能を有する自動写真撮影方法において、前記被撮影者の撮影の受付を行い、受付された被撮影者の少なくとも撮影条件の情報を入力し、情報入力に基づき被撮影者の顔を撮影し、撮影による顔画像情報に基づきプリントし、少なくとも前記顔画像情報をサーバーに送信し、受付工程、撮影工程、プリント工程、通信工程の順位にジョブを直列的に実行させ、且つ被撮影者に係わる所定工程以降のジョブを実行中に新しい被撮影者の受付があった時は、実行ジョブを一時中断して、新しい被撮影者の受付によるジョブを割り込ませ優先して実行させることを特徴とする自動写真撮影方法。
【００１１】
（３）被撮影者を撮影した顔画像情報を通信回線を介してサーバーに送信する機能を有する自動写真撮影装置において、前記被撮影者の撮影の受付を行う受付手段と、受付された被撮影者の少なくとも撮影条件の情報を入力する情報入力手段と、前記情報入力手段に基づき前記被撮影者の顔を撮影する撮影手段と、前記撮影手段による顔画像情報に基づきプリントするプリント手段と、少なくとも前記顔画像情報を前記自動写真撮影装置のサーバーに送信する通信手段と、被撮影者に係わる所定工程以降のジョブを実行中に新しい被撮影者の受付があった時は、実行ジョブを一時中断して、新しい被撮影者の受付によるジョブを割り込ませ優先して実行させる制御手段と、を備えたことを特徴とする自動写真撮影装置。
【００１２】
（４）被撮影者を撮影した顔画像情報を通信回線を介してサーバーに送信する機能を有する自動写真撮影装置において、前記被撮影者の撮影の受付を行う受付手段と、受付された被撮影者の少なくとも撮影条件の情報を入力する情報入力手段と、前記情報入力手段に基づき前記被撮影者の顔を撮影する撮影手段と、前記撮影手段による顔画像情報に基づきプリントするプリント手段と、少なくとも前記顔画像情報を前記自動写真撮影装置のサーバーに送信する通信手段と、受付工程、撮影工程、プリント工程、通信工程の順位にジョブを直列的に実行させ、且つ被撮影者に係わる所定工程以降のジョブを実行中に新しい被撮影者の受付があった時は、実行ジョブを一時中断して、新しい被撮影者の受付によるジョブを割り込ませ優先して実行させる制御手段と、を備えたことを特徴とする自動写真撮影装置。
【００１３】
ここで、本発明において「実行ジョブ」とは、被撮影者による注文を受け付けて、自動写真撮影装置が稼働して、被撮影者の受付工程、撮影工程、プリント工程、通信工程等を行う仕事をいう。また、「実行ジョブを一時中断する」とは、実行ジョブを一時的に中断することをいう。また、「割り込みジョブを優先して実行する」とは、実行ジョブを一時中断させて、新しい被撮影者の受付工程、撮影工程、プリント工程、通信工程等のジョブを割り込ませて、優先的に実行させることをいう。さらに、「ジョブを直列的に制御する」とは、受付工程、撮影工程、プリント工程、通信工程等のジョブを並列的に複数を同時に実行させるのではなく、例えば、プリント工程と通信工程を時間をずらせてジョブを直列的に行うように制御することをいう。
【００１４】
【発明の実施の形態】
本発明の実施の形態に係わる自動写真撮影装置ついて図面を参照して説明する。最初に、自動写真撮影装置の説明に先立ち、実施の形態の自動写真撮影装置を適用した自動写真撮影システムについてその概要を説明する。図１は本発明の実施の形態に係わる自動写真撮影装置を適用した自動写真撮影システムの概略図である。
【００１５】
図１に示すように、この自動写真撮影システムは、自動写真撮影装置１００、ＰＨＳ通信３０１、プロバイダー３０２、インターネット３０３、サーバー２００、被撮影者ＰＣ３０４、クライアントＰＣ３０５等から構成されている。
【００１６】
被撮影者Ｐが自動写真撮影装置１００で顔を撮影しプリントを受け取る。一方、顔画像情報は無線電話サービス網としてＰＨＳ通信３０１を利用してプロバイダー３０２、インターネット３０３を介してサーバー２００に送られ記憶保管される。そこで必要があれば、被撮影者ＰＣ３０４又はクライアントＰＣ３０５がサーバー２００にアクセスして、記憶されている顔画像情報を利用できるようにする自動写真撮影システムである。なお、本発明の自動写真撮影装置１００は顧客である被撮影者Ｐの撮影の受付を最優先させた装置となっているが詳しくは後述する。
【００１７】
次に、実施の形態に係わる自動写真撮影装置の外観の概要について説明する。図２は本発明の実施の形態に係わる自動写真撮影装置の外観斜視図である。図２に示すように、自動写真撮影装置１００は野外に設置される無人のボックス１１で、各種証明用写真を得ることができる。装置の正面には被撮影者のボックス入口１２とプリント取出口４０ａが設けられている。ボックス１１の内部には、撮影表示窓３５ｄ、椅子１３、操作パネル２０ａ、料金支払い口３０ａ等が設けられている。
【００１８】
次に、実施の形態に係わる自動写真撮影装置について、機械的構成および電気的構成に分け、最初に機械的構成から説明する。図３は本発明の実施の形態に係わる自動写真撮影装置の機械的な構成を示す正面断面図である。なお、一部電気的な構成も含むものとする。図３に示すように、自動写真撮影装置１００は野外に設置される無人の撮影装置である。ボックス１１は野外に設置される無人の自動写真撮影装置１００のボックスである。
【００１９】
ボックス入口１２はボックス１１に設けた被撮影者Ｐの入る入口である。また、椅子１３は被撮影者Ｐが撮影のために座る椅子である。
【００２０】
受付・情報入力手段２０である操作パネル２０ａは、被撮影者の受付、証明写真の種類、暗証番号、ＩＤ番号、顔画像サービスの意思確認等を入力する機能を有している。なお、受付・情報入力手段２０は受付手段と情報入力手段とを兼ね備えたものである。また、料金支払い手段３０は、料金支払い口３０ａより料金の支払いができる手段である。
【００２１】
撮影手段３５は、撮影カメラ３５ａ、主照明部３５ｂ、補助照明部３５ｃ、撮影表示窓３５ｄ等で構成され、主照明部３５ｂ、補助照明部３５ｃで被撮影者を照明して撮影カメラ３５ａにより撮影表示窓３５ｄを通して顔を撮影する手段である。
【００２２】
プリント手段４０は撮影手段３５による顔画像情報に基づきプリントし、プリント取出口４０ａより取り出す手段である。表示手段５０は表示内容をハーフミラー５０ａで屈曲させ、撮影表示窓３５ｄより撮影位置の確認表示、仮撮影の顔画像確認表示、各種案内表示等がなされる。また、音声手段５５はスピーカ５５ａより操作手順、注意事項等を音声で被撮影者につたえる手段である。また、通信手段６０はアンテナ６０ａより無線でサーバーとの通信を行う手段であるが詳しくは図４で説明する。なお、電気関係ブロック８０は図４で詳しく説明する。
【００２３】
次に、実施の形態に係わる自動写真撮影装置の電気的構成について説明する。図４は本発明の実施の形態に係わる自動写真撮影装置の電気的な構成を示す図である。図４に示すように、電気関係ブロック８０は、制御手段７０、料金支払い部３１、表示部５１、受付・情報入力部２１、撮影部３６、音声部５６、記憶手段４５、プリント部４１および通信部６１等で構成されている。
【００２４】
最初に、制御手段７０は自動写真撮影装置をシーケンシャルに制御し、また、料金支払い部３１、表示部５１、受付・情報入力部２１、撮影部３６、音声部５６、記憶手段４５、プリント部４１および通信部６１等の各ブロックを制御し、さらに、後述するジョブの中断に関する制御を有する。なお、制御プログラムも格納されている。
【００２５】
料金支払い部３１は料金支払い手段３０の電気部で、表示部５１は表示手段５０の電気部で、受付・情報入力部２１は受付情報入力手段２０の電気部である。また、撮影部３６は撮影手段３５の電気部で、音声部５６は音声手段５５の電気部で、プリント部４１はプリント手段４０の電気部である。記憶手段４５は撮影した顔画像データを暗号処理して記憶する手段である。
【００２６】
また、通信部６１は通信手段６０の電気部であり、通信データを予め暗号処理しておく機能、顔画像情報、ＩＤ番号および暗証番号をサーバーに送信する機能、無線通信のＰＨＳ通信を利用して外部のサーバーに送信する機能等を有している。
【００２７】
ここで、前述の制御手段７０についてさらに説明する。制御手段７０は、実行ジョブ中に新しい撮影の受付があった時は、実行ジョブを一時中断して、新しい撮影受付による割り込みジョブを優先して実行させる機能、また、被撮影者の操作により自動的に自動写真撮影装置のジョブを実行できる機能、受付工程、撮影工程、プリント工程、通信工程の順で直列的にジョブが移行するように制御する機能等を有している。さらに、ジョブの中断制御に関し、中断処理部７０ａ、中断記憶部７０ｂ、割り込み処理部７０ｃ、および中断再開処理部７０ｄを有している。
【００２８】
中断処理部７０ａは、新しい被撮影者に係わるジョブを割り込ませるかどうかを決定し、実行する場合に実行ジョブを一時中断させる。実施の形態では、プリント工程終了以降で、被撮影者による受付に関する入力操作の情報、または料金支払い完了情報を受け付けた場合に割り込みを実行させる。
【００２９】
中断記憶部７０ｂは、中断内容を一時記憶し、例えば、どのジョブまで実行して中断させたか等の中断内容を記憶する。割り込み処理部７０ｃは、割り込みジョブを優先して実行させるための各種処理である。また、中断再開処理部７０ｄは、中断中のジョブを再開して実行させる制御をつかさどる処理部である。なお、実施の形態では通信工程中のジョブ中に中断した場合は通信工程の最初からジョブを再開させるようにする。
【００３０】
次に、自動写真撮影装置の主要動作について図３、図４および図５を参照して説明する。なお、図５は本発明の実施の形態に係わる自動写真撮影装置の主要動作のフローチャートである。
【００３１】
最初に、ステップＳ０１で、被撮影者Ｐの撮影の受付を操作パネル２０ａにより行う。ステップＳ０２で、操作パネル２０ａより撮影条件を入力して被撮影者Ｐの顔の撮影を撮影手段３５により行う。ステップＳ０３で、顔画像情報に基づきプリント手段４０によりプリントをプリント取出口４０ａに排出する。
【００３２】
ステップＳ０４で、新しい被撮影者Ｐの受付等による実行ジョブの中断指示があるかを判断し、ＹＥＳであればステップＳ０５へ進み、ＮＯであればステップＳ０７へ進む。ステップＳ０４がＹＥＳの場合、ステップＳ０５で実行ジョブの中断処理を中断処理部７０ａで行い、続いて、ステップＳ０６で中断内容を一時中断記憶部７０ｂで記憶させ、割り込み処理部７０ｃで割り込みを行うように制御する。ステップＳ０１で新しい被撮影者Ｐの受付を操作パネル２０ａにより行う。
【００３３】
一方、ステップＳ０４がＮＯの場合、ステップＳ０７で通信工程のジョブを開始し、さらに実行ジョブ中に、ステップＳ０８で、所定時間間隔で新しい被撮影者の受付等による中断指示があるかをチェックする。ＹＥＳであればステップＳ０５へ進み、ＮＯであればステップＳ０９へ進む。ステップＳ０８がＹＥＳの場合、前記ステップＳ０５へ行き中断処理をする。ステップＳ０８がＮＯの場合、実行ジョブが終了したかどうか判断し、終了していなければ（ＮＯ）ステップＳ０８に戻り、終了していれば（ＹＥＳ）ステップＳ１０に進む。
【００３４】
ステップＳ１０で、中断ジョブがあるかチェックし、ＮＯであればここで終了する。一方、ＹＥＳであれば、ステップＳ１１で、中断再会処理部７０ｄにより中断ジョブを再開させて実行して終わる。以上のように中断処理を含めた動作が進行するようになっている。
【００３５】
次に、直列的に制御する内容について例示して説明する。図６は本発明の実施の形態に係わる自動写真撮影装置の制御例のタイムチャートである。この例は、被撮影者の顔写真のプリント後に、引き続き次の被撮影者の受付を行った場合の例である。
【００３６】
図６に示すように、縦方向に各工程、横方向にジョブ時間を示している。
（ａ）で最初の被撮影者の受付工程が行われ、終わると、（ｂ）で撮影工程が行われる。次に終わると、（ｃ）でプリント工程が行われ、（ｄ）で、次の被撮影者の受付によるジョブ中断指示があるかどうかチェックする。この例では中断指示があるので中断処理後に、（ｅ）で、新しい被撮影者の受付工程が行われ、（ｆ）で撮影工程が行われ、（ｇ）でプリント工程が行われ、（ｈ）で、次の被撮影者の受付によるジョブ中断指示があるかどうかチェックする。この例では（ｉ）で中断指示がないので、一時中断していたジョブを再度させ、最初の被撮影者と次の被撮影者の顔画像情報をサーバーに送信する。以上のように直列的に制御を行う。従来のような、例えば撮影・プリント工程と通信工程とが並行的に制御する事により、制御が複雑となり、電気的ノイズ等が入り制御が不安定になりやすいという問題が解消される。
【００３７】
なお、サーバーへの顔画像データ等の送信を被撮影者毎に個別に行ってもよく、また、複数の顔画像データ等の送信をまとめて一括して送信するようにしてもよい。また、被撮影者の受付順序に関係なく顔画像データ等の送信を行ってもよい。
【００３８】
【発明の効果】
以上のように構成したので下記のような効果を奏する。
【００３９】
請求項１、３に記載の発明によれば、被撮影者の受付を行い、撮影条件の情報を入力し、被撮影者の顔を撮影し、顔画像情報に基づきプリントし、顔画像情報をサーバーに送信し、被撮影者に係わる所定工程以降のジョブを実行中に新しい被撮影者の受付があった時は、実行している実行ジョブを一時中断して、新しい被撮影者の受付によるジョブを割り込ませ実行させるので、被撮影者の受付を優先させ待ち時間を少なく、装置の単位時間当たりの被撮影者の処理能力が高い自動写真撮影方法および該装置を提供できるようになった。
【００４０】
請求項２、４に記載の発明によれば、被撮影者の受付を行い、撮影条件の情報を入力し、被撮影者の顔を撮影し、顔画像情報に基づきプリントし、顔画像情報をサーバーに送信し、受付工程、撮影工程、プリント工程、通信工程の順位に沿ってジョブを直列的に実行させ、且つ被撮影者に係わる所定工程以降のジョブを実行中に新しい被撮影者の受付があった時は、実行している実行ジョブを一時中断して、新しい被撮影者の受付によるジョブを割り込ませ実行させるので、被撮影者の受付を優先させ待ち時間を少なく、装置の単位時間当たりの被撮影者の処理能力が高く、直列的制御による信頼性が高い自動写真撮影方法および該装置を提供できるようになった。
【００４１】
請求項５に記載の発明によれば、被撮影者のプリント工程終了以降、直ちに新しい被撮影者の受付が可能であるので、新しい被撮影者の受付を最優先させことができるようになった。
【００４２】
請求項６に記載の発明によれば、被撮影者を撮影した顔画像情報は暗号処理されて一時記憶されるので、自動写真撮影装置へのハッカー等に対する被撮影者のセキュリティが守れるようになった。
【００４３】
請求項７に記載の発明によれば、被撮影者の操作により、自動写真撮影装置によるジョブが実行可能であるので、省人化できるようになった。
【００４４】
請求項８に記載の発明によれば、制御手段は、中断処理部、中断記憶部、割り込み処理部、および中断再開処理部を有するので、確実に実行中のジョブを中断でき、かつ中断ジョブを再開できるようになった。
【００４５】
請求項９に記載の発明によれば、中断処理部は、プリント工程終了後で、被撮影者による受付に関する入力操作または料金支払い完了により割り込みを実行するので、中断処理が適切なタイミングで実行できるようになった。
【００４６】
請求項１０に記載の発明によれば、中断記憶部は、中断内容を一時記憶するので、中断したジョブを後で正確に実行できるようになった。
【００４７】
請求項１１に記載の発明によれば、通信工程中のジョブ中に中断した場合、通信工程の最初からジョブを再開するので、送信が確実に行えるようになった。
【００４８】
請求項１２に記載の発明によれば、通信手段は、サーバーへの通信データを予め暗号処理しておく機能を有するので、サーバーへの通信中のセキュリティが守れるようになった。
【００４９】
請求項１３に記載の発明によれば、通信手段は、少なくとも顔画像情報、ＩＤ番号、暗証番号をサーバーに送信する機能を有するので、サーバーに少なくとも顔画像情報、ＩＤ番号、暗証番号を送信できるようなった。
【００５０】
請求項１４に記載の発明によれば、無線電話サービスであるＰＨＳ通信方式を利用してサーバーに送信する機能を有するので、簡易な通信方法によりサーバーに送信することができるようになった。
【図面の簡単な説明】
【図１】本発明の実施の形態に係わる自動写真撮影装置を適用した自動写真撮影システムの概略図である。
【図２】本発明の実施の形態に係わる自動写真撮影装置の外観斜視図である
【図３】本発明の実施の形態に係わる自動写真撮影装置の機械的な構成を示す正面断面図である。
【図４】本発明の実施の形態に係わる自動写真撮影装置の電気的な構成を示す図である。
【図５】本発明の実施の形態に係わる自動写真撮影装置の主要動作のフローチャートである。
【図６】本発明の実施の形態に係わる自動写真撮影装置の制御例のタイムチャートである。
【符号の説明】
１００　自動写真撮影装置
２０　受付・情報入力手段
３０　料金支払い手段
３５　撮影手段
４０　プリント手段
６０　通信手段
７０　制御手段
７０ａ　中断処理部
７０ｂ　中断記憶部
７０ｃ　割り込み処理部
７０ｄ　中断再開処理部
【図１】
2004077588.tif 000003
【図２】
2004077588.tif 000004
【図３】
2004077588.tif 000005
【図４】
2004077588.tif 000006
【図５】
2004077588.tif 000007
【図６】
2004077588.tif 000008